(57)【要約】【課題】特定モードで利用される画像を設定する際は、予め保存された画像を利用するのか、あるいはその場で撮影された画像を利用するのかを任意に選択できるようにする。【解決手段】待受画面に貼り付ける修飾画像を設定する際に、ＣＰＵ１０１は、カメラ撮像部１１１を作動させると共に、メイン表示部（待受画面）２に適した画像サイズで撮影すべきことをカメラ撮像部１１１に対して指示し、この指示サイズで撮影された新たな画像を取得して待受画面用の修飾画像として新規設定あるいは変更設定する。【選択図】図２
2010011520.tif 000002
【特許請求の範囲】
【請求項１】
複数のモードを備えたカメラ付き携帯端末装置であって、
前記複数のモードの内に含まれる所望する特定モードにおいて、当該特定モードで利用される画像の設定を任意に指示する設定指示手段と、
この設定指示手段による画像設定の指示の際は、保存手段に保存された画像を利用するのか、前記カメラ起動で撮影される画像を利用するのか、を任意に選択する選択手段と、
前記保存手段の画像利用が選択された際は、当該保存手段に保存された画像を任意に選択可能に表示する表示制御手段と、
この表示制御手段で表示された画像の中で任意に指定された画像を前記保存手段から読み出して当該特定モードにおいて利用する対象画像として設定処理する第１処理手段と、
前記カメラ撮影画像の利用が選択された際は、前記カメラを起動し、当該カメラの撮影条件を前記特定モードでの画像として適した特定撮影条件に切り替えるカメラ制御手段と、
このカメラ制御手段で切り替えられた特定撮影条件において任意に撮影された画像を、当該特定モードにおいて利用される対象画像として設定処理する第２処理手段と、
を具備したことを特徴とするカメラ付き携帯端末装置。
【請求項２】
前記複数のモードの内の画像保存のためのカメラ撮影モードであって、当該カメラ撮影モードで撮影を行う際の撮影条件が任意に設定されて記憶される撮影条件記憶手段と、
前記カメラ撮影モードがモード選択された際は、前記撮影条件記憶手段に記憶された撮影条件に基づいてカメラ撮影を行うカメラ撮影制御手段と、
を更に具備し、
前記カメラ制御手段は、前記カメラ撮影モードでカメラ撮影する際の撮影条件に関わりなく、前記特定モードでの画像利用に適した特定撮影条件に切り替える、
ようにしたことを特徴とする請求項１記載のカメラ付き携帯端末装置。
【請求項３】
前記特定モードは、当該携帯端末装置で表示される画像を任意に設定するための設定編集モードであり、
前記カメラ制御手段は、前記カメラの撮影条件としての画像サイズを、前記設定編集モードで設定される画像のサイズに適した特定画像サイズの撮影条件に切り替え、
前記第２処理手段は、前記カメラ制御手段で切り替えられた特定画像サイズの撮影条件において任意に撮影された画像を、当該設定編集モードにおいて設定される対象画像として設定処理する、
ようにしたことを特徴とする請求項１記載のカメラ付き携帯端末装置。
【請求項４】
前記特定モードは、電子メールを作成して送信するメールモードであり、
前記カメラ制御手段は、前記カメラの撮影条件としての画像サイズを、前記メールモードで作成された電子メールに添付される画像のサイズに適した特定画像サイズの特定撮影条件に切り替え、
前記第２処理手段は、前記カメラ制御手段で切り替えられた特定画像サイズの撮影条件において任意に撮影された画像を、当該メールモードにおいて作成されるメールに添付される対象画像として設定処理する、
ようにしたことを特徴とする請求項１記載のカメラ付き携帯端末装置。
【請求項５】
前記特定モードでの画像として適した特定撮影条件は複数存在し、
前記カメラ制御手段は、前記カメラの撮影条件を前記複数の特定撮影条件の中で任意に選択された特定撮影条件に切り替える、
ようにしたことを特徴とする請求項１記載のカメラ付き携帯端末装置。
【請求項６】
カメラを備えたコンピュータに対して、
複数のモードの内に含まれる所望する特定モードにおいて、当該特定モードで利用される画像の設定を任意に指示する機能と、
この画像設定の指示の際は、保存手段に保存された画像を利用するのか、前記カメラ起動で撮影される画像を利用するのか、を任意に選択する機能と、
前記保存手段の画像利用が選択された際は、当該保存手段に保存された画像を任意に選択可能に表示する機能と、
この表示された画像の中で任意に指定された画像を前記保存手段から読み出して当該特定モードにおいて利用する対象画像として設定処理する機能と、
前記カメラ撮影画像の利用が選択された際は、前記カメラを起動し、当該カメラの撮影条件を前記特定モードでの画像として適した特定撮影条件に切り替える機能と、
この切り替えられた特定撮影条件において任意に撮影された画像を、当該特定モードにおいて利用される対象画像として設定処理する機能と、
を実現させるためのプログラム。
【発明の詳細な説明】
【技術分野】
【０００１】
この発明は、複数のモードを備えたカメラ付き携帯端末装置およびプログラムに関する。
【背景技術】
【０００２】
一般に、携帯電話装置においては、電源投入後の待受時に、予め設定されている壁紙用の画像を読み出して待受画面に貼り付けるようにしている。また、カメラ付き携帯電話装置においては、カメラ撮影された画像を読み出して電子メールに添付することによって画像付きメールを送信するようにしている。
この場合、従来では、たとえば、所定のキーが操作される毎に、予め設定されている複数の壁紙画像を読み出して切り換え表示することによって壁紙画像の設定を変更するようにした携帯型通信端末が知られている（特許文献１参照）。また、カメラ撮影された静止画が格納されている状態において、この静止画と予め登録されている人物画像とを比較し、登録人物を撮影した場合には、この人物対応のメールアドレスを読み出すと共に、静止画を添付ファイルとするメールを作成して送信するようにした携帯電話が知られている（特許文献２参照）。
【先行技術文献】
【特許文献】
【０００３】
【特許文献１】特開２００２−３００２４１号公報
【特許文献２】特開２００４−２０１１９１号公報
【発明の概要】
【発明が解決しようとする課題】
【０００４】
しかしながら、特許文献１にあっては、複数の画像の中から所望する画像を選択することによって壁紙画像の設定を変更することができるが、壁紙画像として使用可能な画像は、予め撮影して画像フォルダなどに記録保存されている撮影済み画像に限られていた。同様に、特許文献２にあっては、登録人物の撮影画像をその人物宛にメール送信することができるが、メールに添付可能な画像は、予め撮影して画像フォルダなどに記録保存されている撮影済み画像に限られていた。
【０００５】
ところで、複数種の画像サイズの中から任意に選択指定されたサイズで撮影するカメラ付き携帯電話装置においては、たとえば、画像サイズが「１２０×１６０ドット」、「２４０×３２０ドット」、「６４０×４８０ドット」、「１２８０×９６０ドット」などに対応する複数の撮影モードの中から任意のモードが選択されると、この選択モード対応の画像サイズで撮影を行うようにしている。この場合、「１２０×１６０」は、電子メールに送信する画像撮影に適した撮影モードであり、「２４０×３２０」は、壁紙用の画像として利用するのに適した撮影モードであり、「６４０×４８０」は、メモリを節約しながらプリントも可能な撮影モード、「１２８０×９６０」は、Ｌサイズに引き伸ばしても綺麗なプリントが可能な撮影モードである。
【０００６】
ここで、たとえば、「６４０×４８０」、「１２８０×９６０」の撮影モードで撮影された撮影済み画像群の中から任意に選択した画像を壁紙用の画像として使用する場合には、その画像サイズを縮小したり、その切り出し範囲を設定する操作を行う必要があり、逆に、「１２０×１６０」の撮影モードで撮影された撮影済み画像群の中から任意に選択した画像を壁紙用の画像として使用する場合には、その画像サイズを所望する大きさとなるように拡大する操作を行う必要があった。同様に、「６４０×４８０」、「１２８０×９６０」の撮影モードで撮影された画像群の中から任意に選択した画像をメール添付画像として使用する場合には、その画像サイズを縮小する操作を行う必要があった。
【０００７】
本発明の課題は、特定モードで利用される画像を設定する際は、予め保存された画像を利用するのか、あるいはその場で撮影された画像を利用するのかを任意に選択できるようにすることである。
【課題を解決するための手段】
【０００８】
本発明は、複数のモードを備えたカメラ付き携帯端末装置であって、前記複数のモードの内に含まれる所望する特定モードにおいて、当該特定モードで利用される画像の設定を任意に指示する設定指示手段と、この設定指示手段による画像設定の指示の際は、保存手段に保存された画像を利用するのか、前記カメラ起動で撮影される画像を利用するのか、を任意に選択する選択手段と、前記保存手段の画像利用が選択された際は、当該保存手段に保存された画像を任意に選択可能に表示する表示制御手段と、この表示制御手段で表示された画像の中で任意に指定された画像を前記保存手段から読み出して当該特定モードにおいて利用する対象画像として設定処理する第１処理手段と、前記カメラ撮影画像の利用が選択された際は、前記カメラを起動し、当該カメラの撮影条件を前記特定モードでの画像として適した特定撮影条件に切り替えるカメラ制御手段と、このカメラ制御手段で切り替えられた特定撮影条件において任意に撮影された画像を、当該特定モードにおいて利用される対象画像として設定処理する第２処理手段と、を具備したことを特徴とする。
さらに、コンピュータに対して、上述した発明に示した主要機能を実現させるためのプログラムを提供する。
【発明の効果】
【０００９】
本発明によれば、特定モードで利用される画像を設定する際は、その設定対象の画像としては、保存手段に保存された画像のみならず、その設定時点でのカメラ起動により撮影された画像を設定対象とすることができ、その際、その特定モードの撮影は、その特定モードでの画像として適した特定撮影条件に自動的に切り替えて撮影することができる。
【図面の簡単な説明】
【００１０】
【図１】カメラ付き携帯電話装置の外観図であり、(Ａ)は、折り畳み型の装置本体を開いた状態での正面図、(Ｂ)は、その状態での背面図。
【図２】カメラ付き携帯電話装置の基本的構成要素を示したブロック図。
【図３】携帯電話装置内の２次電池を充電する充電スタンド２０１の構成を示した図。
【図４】電源投入に伴って実行開始される携帯電話の動作を示したフローチャート。
【図５】図４に続く、携帯電話の動作を示したフローチャート。
【図６】図５に続く、携帯電話の動作を示したフローチャート。
【図７】図６に続く、携帯電話の動作を示したフローチャート。
【発明を実施するための形態】
【００１１】
以下、図１〜図７を参照して本発明の実施例を説明する。
図１は、この実施例におけるカメラ付き携帯電話装置の外観図であり、(Ａ)は、折り畳み型の装置本体を開いた状態での正面図、(Ｂ)は、その状態での背面図である。
この携帯電話装置は、通話機能、メール機能以外の付加機能として、カメラ撮影機能、インターネット機能、録音機能などが装備されている。この携帯電話装置の正面側には、図１(Ａ)に示すように、キー操作部１、メイン表示部２のほか、通話機能を構成する音声スピーカ３およびマイクロホン４などが設けられている。また、携帯電話装置の背面側には、図１(Ｂ)に示すように、サブ表示部５、カメラ撮影機能を構成する撮影レンズ６およびフラッシュ用ＬＥＤ７、報知用ＬＥＤ８、報知用スピーカ９、アンテナ１０、録音機能を構成するマイクロホン(録音マイク)１１などが設けられている。
【００１２】
キー操作部１は、ダイアル番号などの数値データを入力したり、文字データを入力したり、各種のコマンドを入力する際に使用されるもので、動作モードを切り換えるキーとしては、カメラ撮影機能を起動する「撮影モード」を指定するカメラキー１Ａと、電子メール作成送信機能を起動する「メールモード」を指定するメールキー１Ｂと、「待受画面編集モード」を指定する編集キー１Ｃが設けられている。この「待受画面編集モード」は、電源オン後の入力待ち状態における待受画面上に貼り付けられる壁紙用の画像(修飾画像)を任意に新規設定あるいは変更設定するための動作モードである。
【００１３】
さらに、キー操作部１には、電源のオン／オフ時、通話を切るオフフック操作時に使用される電源キー１Ｄと、通話発信の開始／応答受信(オンフック)を指示する開始キー１Ｅと、電話番号を入力するほか、電話帳データ登録時あるいはメール作成時に文字を入力するダイヤルキー１Ｆと、４方向に対応してメニュー項目などを選択する方向キー１Ｇと、方向キー１Ｇで選択された項目を決定するときなどに使用される決定キー１Ｈ等を有している。なお、撮影モードにおいて決定キー１Ｈは、シャッターボタンとして機能する。
【００１４】
メイン表示部２は、たとえば、2.4インチのカラー液晶画面であり、２６４０×１２００ドットの画像サイズで表示する高精細ディスプレイである。このメイン表示部２が待受画面として機能している場合には、予め任意に設定されている壁紙用の画像(修飾画像)が読み出されて貼り付けられる。この待受画面に貼り付けられる修飾画像は、予め固定的に用意されている画像、インターネットを介してダウンロード受信した画像のほか、上述した待受画面編集モードにおいて、撮影済み画像の中から任意に選択指定した画像または待受画面編集モード時にその場で撮影された画像であり、その大きさは、メイン表示部２に貼り付け可能なサイズとなっている。なお、この修飾画像は、静止画に限らず、動画であってもよい。サブ表示部５は、折り畳み式の装置本体を折り畳んだ状態において、たとえば、現在時刻、メッセージなどを案内表示する背面側の画面である。
【００１５】
図２は、このカメラ付き携帯電話装置の基本的構成要素を示したブロック図である。
ＣＰＵ１０１は、記憶部１０２内の各種のプログラムに応じてこの携帯電話装置の全体動作を制御する中央演算処理装置である。記憶部１０２は、不揮発性メモリ(内部メモリ)であり、たとえば、ＲＯＭ(ＥＥＰＲＯＭ、フラッシュメモリなど)によって構成され、プログラム領域とデータ領域とを有し、このプログラム領域には、後述する図４〜図７に示す動作手順に応じて本実施例を実現するためのプログラムが格納されている。メモリ(たとえば、スタティックＲＡＭ)１０３は、ワーク領域を有する内部メモリであり、また、メモリカード１０４は、着脱自在な記録メディアであり、たとえば、スマートメディア、ＩＣカードなどによって構成されており、上述のメモリ(以下、ＲＡＭと呼称する)１０３との間において画像データなどの授受が行われる。
【００１６】
ＣＰＵ１０１には、通信データ処理部１０５、オーディオインターフェイス１０６が接続されており、アンテナ１０からの受信電波が無線部１０７によって検波、復調されると共にデジタル変換されて通信データ処理部１０５に与えられると、通信データ処理部１０５は、通話呼出、メール受信、インターネット受信かを判別し、通話呼出あるいはメール受信であれば、ＣＰＵ１０１は、音源ＩＣ部１０８に設定されている着信音を読み出してアンプ(ＡＭＰ)１０９に与え、報知用スピーカ９から着信音を発生出力させると共に、表示制御部１１０を介して報知用ＬＥＤ８を点滅駆動させる。さらに、ＣＰＵ１０１は、通話呼出であれば、オンフック操作(応答操作)に応じて通話相手先との接続が確立されると、通信データ処理部１０５からの音声データをオーディオインターフェイス１０６を介して音声スピーカ３から発生出力させる。この場合、マイクロホン４からの入力音声は、オーディオインターフェイス１０６、通信データ処理部１０５を介して無線部１０７に与えられて変調された後にアンテナ１０から発信出力される。また、ＣＰＵ１０１は、メール受信であれば、受信メールを通信データ処理部１０５から取り込んで自己のメールボックス(図示せず)内に格納するようにしている。
【００１７】
また、ＣＰＵ１０１には、その入出力周辺デバイスであるキー操作部１が接続されていると共に、表示制御部１１０を介してメイン表示部２、サブ表示部５、報知用ＬＥＤ８が接続され、さらには、カメラ撮像部１１１が接続されている。
カメラ撮像部１１１は、撮影レンズ、ミラー等のレンズ・ミラーブロック、ＣＣＤイメージセンサ等の撮像素子、その駆動系のほか、測距センサ、光量センサ、アナログ処理回路、信号処理回路、圧縮伸張回路等を備えたもので、光学ズームを調整制御したり、オートフォーカス時の駆動制御、シャッター駆動制御、露出、ホワイトバランス等を制御する。このカメラ撮像部１１１から出力された撮影画像データは、上述の内部メモリ内の画像フォルダあるいはメモリカード１０４に転送されてファイル形式で記録保存される。なお、撮影画像を画像フォルダに格納するか、メモリカード１０４に格納するかは、任意に指定可能であり、その何れか一方あるいは両方に格納するかを自由に設定できるようになっている。
【００１８】
この場合、カメラ撮像部１１１は、撮影条件として設定されている複数種の画像サイズの中から任意に選択指定されたサイズで撮影可能なもので、画像サイズが「１２０×１６０ドット」、「２４０×３２０ドット」、「６４０×４８ドット」、「１２８０×９６０ドット」などに対応する複数の撮影モードの中から任意のモードが選択されることによってその画像サイズに応じた撮影を行うようにしている。ここで、「１２０×１６０」は、電子メールに送信する画像撮影に適した撮影モードであり、「２４０×３２０」は、壁紙用の修飾画像として利用するのに適した撮影モードであり、「６４０×４８０」は、メモリを節約しながらプリントも可能な撮影モード、「１２８０×９６０」は、Ｌサイズに引き伸ばしても綺麗なプリントが可能な撮影モードである。
【００１９】
充電コネクタ部１１２は、図３に示した充電スタンド２０１に接続されるもので、充電スタンド２０１からの充電電流によって携帯電話の電源部である２次電池１１３が充電される。なお、充電スタンド２０１は、図３に示すように、コネクタ２０２、充電回路２０３を有する通常の構成で、たとえば、携帯電話内の２次電池１１３を約３時間でフル充電可能なものである。
【００２０】
次ぎに、この実施例におけるカメラ付き携帯電話の動作概念を図４〜図７に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体の他に、伝送媒体を介して外部供給されたプログラム／データを利用してこの実施例特有の動作を実行することもできる。
【００２１】
図４〜図７は、電源投入に伴って実行開始される携帯電話の動作を示したフローチャートである。
先ず、ＣＰＵ１０１は、電源オンに伴って待受けモードとなり、予め設定されている壁紙用の修飾画像を読み出してメイン表示部２に表示出力させる(図４のステップＳ１)。このように待受画像が表示されている状態において、通話着信／メール受信／入力操作の有無をチェックしながら(ステップＳ２〜Ｓ４)、待機状態となる。
【００２２】
いま、通話着信を検出すると(ステップＳ２でＹＥＳ)、電話着信操作処理が行われ、報知用スピーカ９から着信音を出力させると共に、報知用ＬＥＤ８を点滅駆動させ、さらには、オンフック操作(応答操作)に応じて通話可能状態となり、(ステップＳ５)、通話を切るオフフック操作(終了操作)が行われるまで電話着信操作処理が継続される(ステップＳ５、Ｓ６)。また、メールの受信を検出すると(ステップＳ３でＹＥＳ)、メール受信操作処理が行われ、受信したメールをメールボックスに格納した後に、メール開封操作に応じて受信メールをメイン表示部２に表示させる(ステップＳ７)。このメール受信操作処理は、終了操作が行われるまで継続される(ステップＳ８)。
【００２３】
一方、キー操作部１上の何れかのキーが操作された場合には(ステップＳ４でＹＥＳ)、通話発信の操作が行われたかを調べ(ステップＳ９)、通話発信であれば、電話番号入力処理が行われ、電話帳データを読み出してメイン表示部２に表示させている状態において、この電話帳から任意に選択された電話番号あるいはキー操作によって直接入力された電話番号を取得する(ステップＳ１０)。そして、電話発信操作処理が行われ、入力取得した電話番号を発信出力させた後、通話相手先との通信確立に応じて通話可能状態となり(ステップＳ)、通話を切るオフフック操作(終了操作)が行われるまで電話発信操作処理が継続される(ステップＳ１１、Ｓ１２)。また、任意のモードを指定するキー操作が行われた場合には(ステップＳ１３でＹＥＳ)、この指定モードに応じた処理に移る。
【００２４】
いま、カメラキー１Ａが操作された場合には(図５のステップＳ１４でＹＥＳ)、現在設定されている「撮影条件」をＲＡＭ１０３から読み出してメイン表示部２に表示出力させる(ステップＳ１５)。この撮影条件は、上述した画像サイズのほか、たとえば、焦点距離、シャッタ速度、絞り、露出、ホワイトバランスの各調整値で撮影すべきことを示す撮影条件である。ここで、撮影者は、この撮影条件表示画面の内容を確認し、この条件で撮影すべきことを指示する際には、決定キー１Ｈを操作する (ステップＳ１６でＹＥＳ)。すると、ＣＰＵ１０１は、この「撮影条件」をカメラ撮像部１１１にセットする(ステップＳ１７)。また、現在選択されている撮影条件の変更が指示された場合には(ステップＳ１６でＮＯ)、撮影条件設定メニューをメイン表示部２に表示させる(ステップＳ１８)。この場合、方向キー１Ｇの操作によって任意の撮影条件を選択指定した後(ステップＳ１９)、決定キー１Ｈが操作されると(ステップＳ２０でＹＥＳ)、選択指定された撮影条件がカメラ撮像部１１１にセットされる(ステップＳ１７)。
【００２５】
このようにしてカメラ撮像部１１１に「撮影条件」をセットした状態において、カメラ撮像部１１１からモニタ画像を取得してモニタ表示させながらシャッターボタン(決定キー１Ｈ)あるいは撮影終了を指示する終了操作が行われるまで待機状態となる(ステップＳ２２、Ｓ２３)。ここで、シャッターボタン(決定キー１Ｈ)が操作されると、そのときのカメラ撮影画像を取得し(ステップＳ２４)、この撮影画像を内部メモリ内の画像フォルダ、メモリカード１０４にファイル形式で記録保存させる(ステップＳ２５)。以下、撮影終了が指示されるまで(ステップＳ２３)、シャッター操作に応じて撮影された撮影画像は、その撮影順に逐次記録保持される。ここで、撮影終了が指示されると(ステップＳ２３でＹＥＳ)、図４のステップＳ２に戻って待受け状態となる。
【００２６】
一方、モード指定操作が待受画面編集モードを指定するための編集キー１Ｃであれば(図６のステップＳ２６でＹＥＳ)、待受画面に表示される修飾画像の新規設定あるいは変更設定が指示された場合であるから、ＣＰＵ１０１は、撮影済み画像の中から任意に選択された画像を修飾画像として設定するのか、その場でカメラ撮影された画像を修飾画像として設定するのかを示す選択画像メニューを読み出してメイン表示部２に表示出力させる(ステップＳ２７)。
【００２７】
このメニュー画面は、「１：フォルダ」、「２：メモリカード」、「３：カメラ」の各項目を有し、「１：フォルダ」は、内部メモリ内の画像フォルダに格納されている撮影済み画像群の中から任意に選択された画像を修飾画像として設定することを示すメニュー項目であり、「２：メモリカード」は、メモリカード１０４に格納されている撮影済み画像群の中から任意に選択された画像を修飾画像として設定することを示すメニュー項目であり、「３：カメラ」は、その場でカメラ撮影された画像を修飾画像として設定するメニュー項目である。
【００２８】
いま、「１：フォルダ」あるいは「２：メモリカード」のメニュー項目が選択された場合には(ステップＳ２８でＹＥＳ)、画像フォルダあるいはメモリカード内に記録保存されている撮影済み画像を読み出し(ステップＳ２９)、各読み出し画像をメイン表示部２にサムネイル表示させる(ステップＳ３０)。この画像一覧画面の中から任意の画像が選択指定されると(ステップＳ３１)、この選択画像はメイン表示部２に表示出力される(ステップＳ３２)。この場合、選択画像の画像サイズは、撮影時のサイズに応じた待受画面用の修飾画像(待受画像)としては大き過ぎたり、小さ過ぎることがある。
【００２９】
このような場合、画像のサイズを縮小／拡大したり、その切り出し範囲を設定する画像編集が指示されると(ステップＳ３３)、それに応じて選択画像を拡大／縮小して表示出力させたり、選択画像から切り出し範囲内の画像部分を抽出して表示出力させる表示画像の編集処理を実行する(ステップＳ３４)。ここで、表示画像を登録するための決定操作が行われなければ(ステップＳ３５でＮＯ)、上述したメッセージ画面に戻るが(ステップＳ２７)、登録決定の操作が行われた場合に、この表示画像は、待受画面用の修飾画像(オリジナル画像)として新規設定あるいは変更設定される(ステップＳ３６)。そして、図４のステップＳ２に戻って待受け状態となる。
【００３０】
また、メニュー画面の中から「３：カメラ」の項目が選択された場合には(ステップＳ２８でＮＯ)、カメラ撮像部１１１を起動させた後(ステップＳ３７)、現在設定されている「撮影条件」をＲＡＭ１０３から読み出し(ステップＳ３８)、この撮影条件内の画像サイズは、待受画面に表示可能な壁紙サイズ(待受画像のサイズ)である「２４０×３２０ドット」か否かを調べ(ステップＳ３９)、壁紙サイズでなければ、この撮影条件内の画像サイズをＲＡＭ１０３に待避した後(ステップＳ４０)、撮影条件内の画像サイズを壁紙サイズに変更する(ステップＳ４１)。そして、変更した撮影条件をカメラ撮像部１１１にセットすると共に(ステップＳ４２)、カメラ撮像部１１１から取得したモニタ画像をメイン表示部２にモニタ表示させた後(ステップＳ４３)、シャッター操作の待ち状態となる(ステップＳ４４)。
【００３１】
シャッター操作が行われると(ステップＳ４４でＹＥＳ)、カメラ撮像部１１１から撮影画像を取得し(ステップＳ４５)、この撮影画像をメイン表示部２に表示出力させる(ステップＳ４６)。ここで、撮影者は、この撮影画像を確認し、所望する画像であれば、これを登録するための決定操作を行うが(ステップＳ４７)、撮影を失敗したような場合には、ステップＳ４３に戻って再度の撮影が許可される。いま、今回撮影した画像を登録するための決定操作が行われた場合には、この撮影画像は、待受用の修飾画像(オリジナル画像)として新規設定あるいは変更設定される(ステップＳ４８)。そして、上述のようにしてＲＡＭ１０３に待避しておいた画像サイズを撮影条件内の画像サイズとして復帰させる処理が行われる(ステップＳ４９)。その後、図４のステップＳ２に戻って待受状態となる。
【００３２】
他方、図７のステップＳ５０では、モード指定操作がメールモードを指定するメールキー１Ｂか否かを調べ、メールキー１Ｂでなければ(ステップＳ５０でＮＯ)、操作キーに対応する他の処理に移るが(ステップＳ５１)、メールキー１Ｂが操作された場合には、メールの新規作成かを調べる(ステップＳ５２)。いま、新規作成でなければ、その他の処理に移るが(ステップＳ５３)、新規作成であれば、メールを新規作成する処理に移る(ステップＳ５４)。これによってメール作成が行われると、画像データを添付ファイルとする指示の有無をチェックし(ステップＳ５５)、添付指示がなければ、作成メールをその相手先に送信し(ステップＳ６４)、以下、メール作成送信の終了操作が行われるまで(ステップ６５)、上述のステップＳ５２に戻る。なお、メール送信元が加入しているプロバイダ側のメールサーバは、その相手先（宛先）が加入しているプロバイダ側のメールサーバを接続先として決定し、受信メールをその接続先のメールサーバに配信する。
【００３３】
いま、画像のメール添付が指示された場合には(ステップＳ５５でＹＥＳ)、上述した場合と同様の選択画像メニューを表示出力させる(ステップＳ５６)。この状態において、「１：フォルダ」あるいは「２：メモリカード」のメニュー項目が選択指定されると(ステップＳ５７でＹＥＳ)、画像フォルダあるいはメモリカード内に記録保存されている撮影済み画像を読み出して各画像をメイン表示部２にサムネイル表示させる(ステップＳ５８)。この画像一覧画面の中から任意の画像がメール添付用の画像として選択されると(ステップＳ５９)、この選択画像をメイン表示部２に表示させる(ステップＳ６０)。ここで、選択画像がメール添付画像として大き過ぎる場合には、その縮小を指示する指示操作に応じて(ステップＳ６１)、画像サイズを縮小する処理が行われる(ステップＳ６２)。そして、この選択画像をメールに添付する処理を行った後に(ステップＳ６３)、この画像付きメールをその相手先に送信する(ステップＳ６４)。
【００３４】
また、メニュー画面の中から「３：カメラ」の項目が選択された場合には(ステップＳ５７でＮＯ)、カメラ撮像部１１１を起動させた後(ステップＳ６６)、現在設定されている「撮影条件」をＲＡＭ１０３から読み出すほか(ステップＳ６７)、メール送信可能な複数種の画像サイズをメニュー表示する(ステップＳ６８)。この場合、メール送信に最適な「１２０×１６０」のほか、たとえば、「２４０×３２０」がメール送信可能なサイズとしてメニュー表示される。このメニュー画面の中から任意の画像サイズが選択されると(ステップＳ６９)、この撮影条件内の画像サイズをＲＡＭ１０３に待避すると共に(ステップＳ７０)、撮影条件内の画像サイズを当該選択サイズに変更する(ステップＳ７１)。このようにして変更した撮影条件をカメラ撮像部１１１にセットすると共に(ステップＳ７２)、カメラ撮像部１１１から取得したモニタ画像をメイン表示部２にモニタ表示させた後(ステップＳ７３)、シャッター操作待ちとなる(ステップＳ７４)。
【００３５】
そして、シャッター操作が行われると(ステップＳ７４でＹＥＳ)、カメラ撮像部１１１から撮影画像を取得し(ステップＳ７５)、この撮影画像をメイン表示部２に表示出力させる(ステップＳ７６)。ここで、撮影者は撮影画像を確認し、所望する画像であれば、これを添付画像として決定する操作を行うが(ステップＳ７７)、撮影を失敗したような場合には、ステップＳ７３に戻って再度の撮影が許可される。いま、決定操作が行われた場合には、ＲＡＭ１０３に待避しておいた画像サイズを撮影条件内の画像サイズとして復帰させる処理が行われる(ステップＳ７８)。その後、この撮影画像をメールに添付すると共に(ステップＳ６３)、この画像付きメールをその相手先に送信する(ステップＳ６４)。
【００３６】
以上のように、この実施例においては、待受画面に貼り付ける修飾画像を設定する際に、ＣＰＵ１０１は、カメラ撮像部１１１を作動させると共に、待受画面に適した画像サイズで撮影すべきことをカメラ撮像部１１１に対して指示し、この指示サイズで撮影された新たな画像を待受画面用の修飾画像として設定するようにしたから、修飾画像の撮影に適した撮影条件を選択しなくても、その場で撮影した画像を修飾画像として即座に利用することができる。したがって、修飾画像として利用する画像の撮影時に、現在どのような撮影条件がカメラ撮像部１１１に設定されているかを意識する必要はなく、また、撮影済み画像を呼び出して修飾画像の選択候補として表示させることもなく、さらに、新たな画像が撮影される毎に前回の撮影画像に代わって今回の撮影画像を修飾画像として設定変更することができるなど、操作性の向上と共に、利便性を高めることが可能となる。
【００３７】
この場合、待受画面に適した画像サイズで撮影すべきことをカメラ撮像部１１１に対して指示する際に、このカメラ撮像部１１１に対して現在設定されている撮影サイズを一時待避し、待受画面に適した画像サイズで撮影が行われた後に、一時待避の撮影サイズを当該カメラ撮像部１１１に復帰させるようにするようにしたから、修飾画像を新規設定あるいは変更設定する際に、一時的にカメラ撮像部１１１の撮影条件を自動変更したとしも、その終了後は元の撮影条件に戻すことができ、その復帰操作が不要となる。
【００３８】
また、電子メールに添付する添付画像を指定する際に、ＣＰＵ１０１は、カメラ撮像部１１１を作動させると共に、メール送信に適した画像サイズで撮影すべきことをカメラ撮像部１１１に対して指示し、この指示サイズで撮影された新たな画像をメール添付画像として指定するようにしたから、メールに添付する画像の撮影に適した撮影条件を選択する操作を行わなくても、その場で撮影した画像をメール添付画像として即座に利用することができる。したがって、メール添付画像として利用する画像の撮影時に、現在どのような撮影条件がカメラ撮像部１１１に設定されているかを意識する必要はなく、また、撮影済み画像を呼び出してメール添付画像の選択候補として表示させることもなく、さらに、新たな画像が撮影される毎に前回の撮影画像に代わって今回の撮影画像をメール添付画像として設定変更することができるなど、操作性の向上と共に、利便性を高めることが可能となる。
【００３９】
この場合、メール送信に適した複数種の画像サイズが登録されている場合には、その中から任意に選択された画像サイズで撮影すべきことをカメラ撮像部１１１に対して指示するようにしたから、複数種の画像サイズの中から任意の画像サイズを選択するだけで、所望する大きさのメール添付画像を得ることができる。この場合、送信相手先の機種に応じた種類の画像サイズを選択するようにすれば、相手先を考慮した見易い画像を送信することができる。
【００４０】
また、メール送信に適した画像サイズで撮影すべきことをカメラ撮像部１１１に対して指示する際に、このカメラ撮像部１１１に対して現在設定されている撮影サイズを一時待避し、メール送信に適した画像サイズで撮影が行われた後に、一時待避の撮影サイズをカメラ撮像部１１１に復帰させるようにしたから、メールを送信する際に一時的にカメラ撮像部の撮影条件を自動変更したとしても、その後は元の撮影条件に戻すことができ、その復帰操作が不要となる。
【００４１】
なお、上述した実施例においては、表示画面に貼り付ける修飾画像を待受画面用の画像とした場合を示したが、表示画面に貼り付ける修飾画像は、通話着信およびメール着信時に表示される着信画面用の画像であってもよく、また、アドレス帳内に宛先毎に登録され、アドレス帳データと共に表示される宛先の顔画像などであってもよい。
また、上述した実施例においては、表示画面に貼り付ける修飾画像をメイン表示部２に貼り付けるようにしたが、サブ表示部５に貼り付けるようにしてもよい。この場合、サブ表示部５の大きさに応じた画像サイズで撮影すべきことを指示するようにすればよい。
【００４２】
一方、コンピュータに対して、上述した各手段を実行させるためのプログラムコードをそれぞれ記録した記録媒体（たとえば、ＣＤ−ＲＯＭ、フレキシブルディスク、ＲＡＭカード等）を提供するようにしてもよい。すなわち、コンピュータが読み取り可能なプログラムコードを有する記録媒体であって、表示画面に貼り付ける修飾画像を設定する際に、撮影条件として設定されている複数種の撮影サイズの中から任意に選択されたサイズで撮影を行うカメラ撮像部を作動させると共に、表示画面に適した画像サイズで撮影すべきことを前記カメラ撮像部に対して指示する機能と、指示された画像サイズで撮影された新たな画像を前記修飾画像の設定対象として指定する機能とを実現させるためのプログラムを記録したコンピュータが読み取り可能な記録媒体を提供するようにしてもよい。
【００４３】
また、コンピュータが読み取り可能なプログラムコードを有する記録媒体であって、電子メールに添付する添付画像を指定する際に、撮影条件として設定されている複数種の撮影サイズの中から任意に選択されたサイズで撮影を行うカメラ撮像部を作動させると共に、メール送信に適した画像サイズで撮影すべきことをカメラ撮像部に対して指示する機能と、指示された画像サイズで撮影された新たな画像を前記メール添付画像として指定する機能とを実現させるためのプログラムを記録したコンピュータが読み取り可能な記録媒体を提供するようにしてもよい。
【符号の説明】
【００４４】
１  キー操作部
２  メイン表示部
１Ａ  カメラキー
１Ｂ  メールキー
１Ｃ  編集キー
１０１  ＣＰＵ
１０２  記憶部
１０４  メモリカード
１０５  通信データ処理部
１０７  無線部
１１１  カメラ撮像部
【図１】
2010011520.tif 000003
【図２】
2010011520.tif 000004
【図３】
2010011520.tif 000005
【図４】
2010011520.tif 000006
【図５】
2010011520.tif 000007
【図６】
2010011520.tif 000008
【図７】
2010011520.tif 000009